(57)【要約】【課題】相反する侵入阻止と円滑利用の問題を簡便な手法で実現できるエレベータ制御装置を提供することを目的とする。【解決手段】ビルのエレベータ乗場に第１の無線通信装置と表示装置を設置し、ビルの利用者が保持する第２の無線通信装置の情報を受け取ったとき、第２の無線通信装置の情報が登録されている場合にはエレベータの運行を行い、登録されていない場合はエレベータの運行を行わない判断処理部を備えたことを特徴とする。【選択図】図１
2015105160.tif 000002
【特許請求の範囲】
【請求項１】
ビルのエレベータ乗場に第１の無線通信装置と表示装置を設置し、ビルの利用者が保持する第２の無線通信装置の情報を受け取ったとき、第２の無線通信装置の情報が登録されている場合にはエレベータの運行を行い、登録されていない場合はエレベータの運行を行わない判断処理部を備えたことを特徴とするエレベータ制御装置。
【請求項２】
請求項１に記載のエレベータ制御装置であって、
前記第２の無線通信装置は、表示部を含む携帯端末に組み込まれており、
前記判断処理部は、前記第２の無線通信装置の情報が登録されている場合には、前記エレベータ乗場の表示装置または前記携帯端末の表示部のいずれか、または双方にビルの利用者が利用可能な階を含めて表示せしめ、前記第２の無線通信装置の情報が登録されていない場合には、ビルの利用についての登録処理を促す表示を前記エレベータ乗場の表示装置または前記携帯端末の表示部のいずれか、または双方に表示せしめることを特徴とするエレベータ制御装置。
【請求項３】
請求項２に記載のエレベータ制御装置であって、
前記携帯端末は、前記表示された階から利用したい階を選択して選択情報を送信し、
前記判断処理部は、選択された階が予め登録された階である時、当該階へのエレベータ運行を実行し、選択された階が予め登録された階でない時、当該階の利用の登録処理を促す表示を行うことを特徴とするエレベータ制御装置。
【請求項４】
請求項１に記載のエレベータ制御装置であって、
前記第２の無線通信装置は、車両の無線キーであることを特徴とするエレベータ制御装置。
【発明の詳細な説明】
【技術分野】
【０００１】
本発明はエレベータ制御装置に係り、特に携帯電話を利用してエレベータの利用を許可するエレベータ制御装置に関する。
【背景技術】
【０００２】
本技術分野の背景技術として、特許文献１がある。この特許文献１には、「公衆無線電話回線の電波の届かない場所であっても、また、通話料も要らず、エレベータ情報を携帯電話からモニタし、呼び登録を行うこと。」と記載されている。
【先行技術文献】
【特許文献】
【０００３】
【特許文献１】特開２００２−１４５５４８号公報
【発明の概要】
【発明が解決しようとする課題】
【０００４】
特許文献１のように、ホテルやマンションなどのビルにて、携帯電話で呼び登録を行うことができるようにする場合、セキュリティに考慮する必要がある。本来の利用者以外の人の侵入を阻止しながら、本来の利用者に対しては円滑なエレベータ利用を提供する必要がある。
【０００５】
以上のことから本発明においては、相反する侵入阻止と円滑利用の問題を簡便な手法で実現できるエレベータ制御装置を提供することを目的とする。
【課題を解決するための手段】
【０００６】
ビルのエレベータ乗場に第１の無線通信装置と表示装置を設置し、ビルの利用者が保持する第２の無線通信装置の情報を受け取ったとき、第２の無線通信装置の情報が登録されている場合にはエレベータの運行を行い、登録されていない場合はエレベータの運行を行わない判断処理部を備えたことを特徴とする。
【発明の効果】
【０００７】
本発明によれば、ホテルの宿泊客やマンションの住人のほか、来客や侵入者に応じて、エレベータの利用制限を行うことにより、宿泊客や住民は安心してエレベータを利用できる。
【図面の簡単な説明】
【０００８】
【図１】エレベータシステムの全体構成例を示す図。
【図２】ホテル等の利用者が無線通信を利用してエレベータ呼び登録を行う際のフローチャート。
【図３】ホテル等の利用者がチェックイン時に携帯端末の端末情報を登録する際のフローチャート。
【図４】訪問先住民の住居がある階の行先階呼び登録をする際のフローチャート。
【図５】マンション住民携帯端末の行先施設選択画面の例を示す図。
【図６】処理ステップＳ２０８での行先登録追加依頼画面の例を示す図。
【図７】処理ステップＳ２０４での表示内容事例を示す図。
【図８】マンション来客の行先登録依頼画面の例を示す図。
【図９】処理ステップＳ２０３での行先施設選択画面の例を示す図。
【図１０】マンション来客の携帯端末の行先施設選択画面の例を示す図。
【発明を実施するための形態】
【０００９】
以下、本発明の一実施の形態を図面により説明する。
【実施例】
【００１０】
図１は、本発明の１実施の形態におけるエレベータシステムの全体構成例を示す図である。
【００１１】
例えばホテルやマンションなどのビル内に複数設置されるエレベータ１号機からｎ号機の乗りかご１（１ａ・・１ｎ）は、それぞれ号機制御装置２（２ａ・・２ｎ）によって運転される。なお号機制御装置２は、エレベータ制御装置の一部を構成している。
【００１２】
Ｆ１からＦｍの各階の乗り場には、それぞれホール呼び釦３（３−１、３−２・・３−ｍ）と無線通信装置６（６−１、６−２・・６−ｍ）が配置されている。また図示しないが各乗りかご内のかご内装置１１（１１ａ・・１１ｎ）には行先階呼び釦、表示装置や無線通信装置が設けられている。
【００１３】
号機制御装置２（２ａ・・２ｎ）は、運行制御装置４の統制の下に運行管理制御されている。運行制御装置４もまたエレベータ制御装置の一部を構成している。運行制御装置４は、各乗り場からのホール呼びを割当てるホール呼び割当て部４１、各乗りかご１からの行先階呼びを登録するかご内行先階登録部４２を備えている。割当てられあるいは登録された呼びの内容は、呼び指令部４３を介して各号機制御装置２（２ａ・・２ｎ）に伝えられ、該当号機を割当て階や行先呼び発生階に運行させる。
【００１４】
運行制御装置４内の表示内容加工部４４は、各装置から取得した情報に基づき、加工を施し出力表示情報を作成する。この場合における各装置と、各装置から取得する情報としては、ホール呼び割当て部４１から送られるホール呼び割当て信号Ｓ１、かご内行先階登録部４２から送られるかご内行先階信号Ｓ２、及び各号機のエレベータ号機制御装置２（２ａ・・２ｎ）から送られてくる信号Ｓ３である。具体的には信号Ｓ３は、かご位置信号、戸開閉信号、かご内荷重信号等の他、各号機制御装置２（２ａ・・２ｎ）に記憶されているスペック等の信号等である。
【００１５】
また、表示内容加工部４４は、外部から入力された任意の情報も取得可能である。表示内容加工部４４で加工された出力表示用情報は、サーバ４５を介して受付がある階（受付階）の乗り場の表示装置１２に出力される。
【００１６】
ホテルやマンションなどのビル内には、外部入力装置５を備えている。ホテルの場合にはホテル等の受付、マンションの場合には管理人室に準備されたパソコンや無線通信装置等の受付装置がこれに相当する。ここで入力された情報は、サーバ４５を介してホール呼び割当て部４１や表示内容加工部４４に取り込まれる。入力される情報の例としては、携帯端末の端末情報のほか、ホテルの場合には宿泊客の利用内容や、マンション等の場合には住民に関する情報や、呼び割当て信号、などである。
【００１７】
また、乗り場側においては、ホール呼び釦３（３−１・・３−ｍ）と一体的に設けられた無線通信装置６（６−１、６−２・・６−ｍ）から、出力表示情報を乗り場に向けて無線で送信する。宿泊客・住人・来客といった利用者に、必要に応じて、携帯端末（電話）７を持たせることができる。この携帯端末７は、無線の通信制御装置７１を備えており、携帯電話の有料無線通信手段７２のほかに、無料の無線通信手段７３を備えている。この無線通信手段７３としては、市販の「Ｂｌｕｅｔｏｏｔｈ（登録商標）」など、微弱電波を用いた近距離無線通信装置が好適である。有料無線通信手段７２は、公衆電話（通信）回線８と交信する。
【００１８】
これにより、乗り場側のホール呼び釦３（３−１・・３−ｍ）と一体的に設けられた無線通信装置６（６−１、６−２・・６−ｍ）と、利用者が保持する携帯端末との間での無線通信が可能となる。今例えば、４階乗り場Ｆ４に、携帯端末７を持った利用者が来たとする。この場合４階の無線通信装置６−４から送信された出力表示情報は、携帯端末７の無線通信手段７３で受信される。この受信内容は、携帯端末（携帯電話）７の表示装置７４に表示されて、利用者にエレベータ情報を伝達する。また、逆に、利用者の携帯端末７からエレベータ側へ情報の入力を行うことができる。その入力は呼び作成の信号や、エレベータの情報を要求する信号等である。
【００１９】
さらにエレベータ側の無線通信装置６−４に送信された呼び登録情報は、サーバ４５を介して運行制御装置４へ送られ、ホール呼び割当て部４１あるいはかご内行先階呼び登録部４２へ送られる。前者の場合は通常のエレベータのホール呼び釦３（３−１・・３−ｍ）と同様の処理が行われ、後者の場合には直接かご内行き先階呼びを登録できる。
【００２０】
本発明に係るエレベータシステムでは、乗場および乗りかご、さらにはエレベータ制御手段が、以上のように構成されている。さらにその上でエレベータの制御装置は、以下のように作動する。
【００２１】
まず図２はホテルへの本発明適用事例を示している。図２はホテル等の利用者が無線通信を利用してエレベータ呼び登録を行う際のフローチャートである。
【００２２】
図２には、処理ステップＳ２００のＳＴＡＲＴから始まり処理ステップＳ２０９のＥＮＤで終了する一連の処理が示されているが、この処理は適宜の周期で実行されてもよいし、あるいは無線通信を受信してから起動開始されるものであってもよい。
【００２３】
ここでは、例えば利用者が持つ携帯端末７が各階に設置された無線通信装置６（６−１〜６−ｍ）との間で通信が可能な領域に入ったときや、ホール呼び釦３（３−１・・３−ｍ）を操作したときに、サーバ４５あるいは携帯端末７にて行われ、処理ステップＳ２００よりＳＴＡＲＴするものとする。
【００２４】
最初の処理ステップＳ２０１では、利用者がホテルへのチェックインを済ませており、ホテルの受付で携帯端末の端末情報サーバ４５に登録済みで、エレベータを利用できる状態にあるかどうかを確認する。
【００２５】
利用者がまだチェックインしていなかったり、チェックアウト済みであったりなど携帯端末７の端末情報がサーバに登録されていない状態であれば処理ステップＳ２０４に進む。処理ステップＳ２０４では、利用者がいる階の乗り場の表示装置１２（ホテルの受付が１階である場合）に登録依頼画面を表示して携帯端末の登録を促す。なお、この表示は利用者が保持する携帯電話側に行うものであってもよい。
【００２６】
図７は、処理ステップＳ２０４での表示内容事例を示す図である。たとえば、この場面では「当ホテルのご利用ありがとうございます。ご利用にあたりましては、フロントにてチェックインまたは施設の利用登録をお願いいたします。」と表示し、利用者に対してホテル利用の事前登録を促す。このようにしてチェックインを済ませた宿泊客以外のエレベータ利用、強いてはホテル内宿泊施設部などへの入場を制限できる。
【００２７】
最初の処理ステップＳ２０１での判断結果が、「利用登録済み」の場合には、処理ステップＳ２０２で利用期間内かどうか確認し、利用期間が過ぎている場合は、処理ステップＳ２０４に進み、利用者に対してホテル利用の再登録を促す。
【００２８】
利用期間内であれば処理ステップＳ２０３に進み、携帯端末７に登録済みの行先施設選択画面を表示する。このときの行先施設選択画面の例を図９に示す。この例では当該利用者の宿泊する客室である客室５０３号室（５階）、一般立ち入り可能なフロント、ロビーの階（１階）、宴会予定の場合に宴会場の２階とその利用時間などの付随情報、食事会場であるレストランの６階、会議予定している時その会場である６階とその利用時間などの付随情報などが携帯端末に表示される。行先施設選択画面には、施設のある階番号だけでなく、利用施設名、客室番号のほか、施設の利用可能日時や施設の情報なども表示することにより、利用者の利便性向上が図れる。
【００２９】
またこのときの表示は、利用可能階のみでなく、利用不可能階も含めて表示し、この中から選択する形式としてもよい。つまり、ホテルの全施設の紹介画面から選択するような表示形式として、いずれの施設も紹介はできるが利用の選択はできないといった利用の仕方であってもよい。図９では、非登録階として、他の施設を表示している。
【００３０】
このように、行先施設選択画面には、ホテル内施設が選択可能に表示され、利用を許可されていない客室階やその他の施設がある階の利用が制限される。なお、利用が許可された会議室や宴会場であっても、その時間帯が制限されて利用可能とすることもできる。
【００３１】
ここまでの確認が完了した段階で、利用者がいる乗場に到達したエレベータは当該利用者に対してドアを開放し、乗りかごへの入場を可能とする。
【００３２】
次に利用者は処理ステップＳ２０５において携帯端末７に表示された希望の行先ボタンを押すことにより行先階を指定する。あるいは、この行先階指定は、乗りかご１に乗車後に、かご内装置１１（１１ａ・・１１ｎ）に設けられた行先階呼び釦で行先階を指定することでも実現できる。ただしかご内装置１１（１１ａ・・１１ｎ）に設けられた行先階呼び釦で利用登録されていない階のボタンを押した場合が想定される。
【００３３】
この対応として処理ステップＳ２０６では、指示された行先階が登録済みであることを確認する。その結果未登録と判断された場合には、処理ステップＳ２０８に移って、かご内装置１１（１１ａ・・１１ｎ）に設けられた表示装置や携帯端末７に、行先登録追加依頼画面を表示し、処理ステップＳ２０３に戻る。
【００３４】
このときの行先登録追加依頼画面の例を図６に示す。たとえば、この場面では「当ホテルのご利用ありがとうございます。ご指定の階はご利用になれません。その他施設をご利用ご希望の場合は、フロントにて受付をお願いいたします。」と表示し、利用者に対してホテル利用の行先登録追加依頼を促す。
【００３５】
利用者が処理ステップＳ２０５において利用登録された行先を指定すると、処理ステップＳ２０７にてかご内行先階登録部４２で行先階呼びを作成し指定した階に行くことができる。
【００３６】
図３のフローチャートもホテルの場合の事例である。図３には利用者がチェックイン時に携帯端末７の端末情報を登録する際のフローチャートが示されている。
【００３７】
図３には、処理ステップＳ３００のＳＴＡＲＴから始まり処理ステップＳ３０８のＥＮＤで終了する一連の処理が示されている。利用者がホテルのフロント受付にて宿泊等の利用申し出をしたときに、ホテルフロントが操作する外部入力装置５で利用者登録を開始した場面において、処理ステップＳ３００が始まる。
【００３８】
最初の処理ステップＳ３０１では、利用者の携帯端末７の端末情報が既に登録済みであるかどうかを確認し、既に宿泊等でホテルを利用している利用者すなわち携帯端末７の端末情報が登録済みの利用者が延泊や別の施設の利用を希望している場合は、処理ステップＳ３０２に進む。
【００３９】
処理ステップＳ３０２で延泊を希望しているのか、別の施設の利用を希望しているのかを確認し、延泊を希望している場合は、処理ステップＳ３０６に進み、客室の利用期限を利用者の希望に従い延長する処理を行う。別の施設の利用を希望している場合は、処理ステップＳ３０７で希望の施設を追加登録する。処理ステップＳ３０６、Ｓ３０７の場面では、施設の利用登録を追加すれば、行先施設選択画面に追加登録した施設のボタンが追加されて、その施設がある階に行くことができる。
【００４０】
これからチェックインを行う利用者の場合は、処理ステップＳ３０１で携帯端末７が未登録となるので、処理ステップＳ３０３に進み、予約済みか、新規宿泊者かの識別を行う。予約済みの利用者の場合は処理ステップＳ３０５に進み、利用者の携帯端末７の情報を外部入力装置５からサーバ４５に登録し、予約済みの情報と関連付けを行い、予約した施設を利用可能にする。
【００４１】
処理ステップＳ３０３で予約なしの利用者（新規宿泊客）については、利用者の希望に応じてホテルフロントが操作する外部入力装置５から利用内容を登録すると共に携帯端末７の端末情報も登録し、利用可能とすることができる。なお、客室のほか会議室や宴会場等の利用希望があった場合にはこれらも登録を行い、グループ客の場合には希望に応じてお互いの客室を登録しても良い。
【００４２】
図２、図３を用いたフローチャートでは、ホテルを事例として説明したが、これは他のビル施設に対しても適用可能である。特に図示はしないが、例えばマンションの住民についても、住民の携帯端末７の端末情報と、自宅やマンション玄関のほかに集会所やマンション内の友人宅などがある階が利用できるように登録することにより、マンション内の必要な階は自由に利用でき、その他の階の利用は制限することができる。
【００４３】
マンション住民の携帯端末７に表示される行先施設選択画面の例を図５に示す。この場合の登録された利用階は、利用者の自宅、共有の場であるマンション玄関、友人宅、京教施設である集会所などである。なお、この画面上には、他の非登録階が表示されていてもよい。これにより、未登録の外部侵入者は、エレベータを利用できない。
【００４４】
なお、マンション等については、住民の他に友人や親戚等の来客が利用する場合が考えられる。図４は来客の携帯端末７の端末情報を登録すると共に、エレベータに訪問先の住民の住居がある階の行先階呼び登録をする際のフローチャートである。このフローチャートは、処理ステップＳ４００のＳＴＡＲＴから始まり処理ステップＳ４０７のＥＮＤで終了する。
【００４５】
図４の処理は、来客が持つ携帯端末７が階に設置された無線通信装置６（６−１・・６−ｍ）との間で通信が可能な領域に入ったときや、ホール呼びボタン３（３−１・・３−ｎ）を操作したときに、サーバ４５あるいは携帯端末７にて行われ、処理ステップＳ４００よりＳＴＡＲＴする。
【００４６】
最初の処理ステップＳ４０１では、来客が予め訪問先の住民に連絡済みであるかどうかを確認する。突然の訪問でサーバ４５に来客の携帯端末７の端末情報が登録されていない場合は、処理ステップＳ４０２に進み来客がいる階の乗り場の表示装置１２（マンションの玄関が１階である場合）に登録依頼画面を表示して携帯端末７の登録を促す。
【００４７】
このときの登録依頼画面の例を図８に示す。たとえば、この場面では「当マンションへのご来客の皆様は、管理人室での受付を済ませてからご入場ください」と表示し、来客に対してマンション利用の携帯端末７の登録を促す。
【００４８】
来客は登録依頼画面に従い、マンション管理人に受付を依頼し、処理ステップＳ４０３で管理人は住民に確認を行い来客の携帯端末７の端末情報を登録し、再度処理ステップＳ４０１に進み、登録済みと判断される。ここでマンション住民とは関係ない外部侵入者は、住民への訪問連絡などはしておらず、管理人に申し出るはずもないので、エレベータを利用できない。
【００４９】
予め住民に訪問の旨を連絡してある来客については、住民から管理人に依頼して来客の携帯端末７の端末情報を登録依頼しておくことにより、来客がマンション玄関のエレベータ前に立った時、処理ステップＳ４０１で来客登録済みと判断し、処理ステップＳ４０４に進むことになる。
【００５０】
処理ステップＳ４０４では携帯端末７に登録済みの行先施設選択画面を表示する。このときの行先施設選択画面の例を図１０に示す。行先施設選択画面には、基本的に訪問先の住民の住居がある階とマンションの玄関のみが表示されることになる。但し、非登録階が表示されていてもよい。仮に非登録階が指定されたとしても、この回の利用が許可されないことは言うまでもない。従って、来客に対しても利用階が制限される。
【００５１】
あとは、来客が処理ステップＳ４０５において携帯端末７に表示された行先ボタンを押すことにより行先を指定し、処理ステップＳ４０６にてかご内行先階登録部４２で行先階呼びを作成し、指定した階に行くことができる。
【００５２】
なお、以上では来客の登録は管理人が行うことで説明したが、管理人が不在の場合や個人情報保護の観点から、パスワードなどでセキュリティが考慮された状態で、住民自ら来客の登録が行えるようにしても良い。
【００５３】
なお携帯端末７にてエレベータ操作中に公衆電話回線８から着信があった場合の処理は、特許文献１に記載されたものと処理は同じである。
【００５４】
本実施例によれば、ホテルの宿泊客やマンションの住人のほか、来客や侵入者に応じて、エレベータの利用制限を行うことができる。
【００５５】
なお以上の実施例では、利用者や来客（これらを含めて利用者と称する）が表示画面を備えた携帯端末を保持しているとの前提で説明を行ったが、無線通信機能があれば簡便に代替可能な利用の仕方もある。
【００５６】
例えば利用者は、無線キー付の車両を利用してビルなどを訪問することが多いので、無線キーと乗場の無線通信装置６との間の無線通信で、身元確認などが可能である。但しこの場合には表示ができないので、表示については受付がある階（受付階）の乗り場の表示装置１２あるいは乗りかご内の表示装置に出力することで対応可能である。
【符号の説明】
【００５７】
１（１ａ・・１ｎ）：エレベータ乗りかご
２（２ａ・・２ｎ）：号機制御装置
４：エレベータ制御装置
６（６−１・・６−ｍ）：無線通信装置
７：携帯電話、携帯端末
７２：有料（公衆）通信手段
７３：無料（公衆回線とは独立した）通信手段
７４：表示装置
８：公衆通信（電話）回線
９：エレベータ制御装置
【図１】
2015105160.tif 000003
【図２】
2015105160.tif 000004
【図３】
2015105160.tif 000005
【図４】
2015105160.tif 000006
【図５】
2015105160.tif 000007
【図６】
2015105160.tif 000008
【図７】
2015105160.tif 000009
【図８】
2015105160.tif 000010
【図９】
2015105160.tif 000011
【図１０】
2015105160.tif 000012